(57)【要約】【課題】電機子の冷却を良好に行うことができる磁石発電機を提供する。【解決手段】回転子ヨーク１の底壁部１ｂに複数の通気孔１ｄを設ける。各通気孔１ｄに冷却風を導入する冷却風導入部９を回転子ヨークの底壁部１ｂに固定した環状の板８に設け、冷却風導入部９の内側に形成した冷却風導入通路１０を通して通気孔１ｄに冷却風を導入する。冷却風導入通路１０の断面形状が矩形状を呈するように各冷却風導入部を設けることにより冷却風導入通路１０の断面積を増大させる。冷却風導入部９の開口端９ａを回転子ヨークの接線方向に対して回転子ヨークの内径側に傾いた方向に開口させることにより、冷却風導入通路の開口部の断面積を増大させ、冷却風導入通路内に導入される空気の量を増大させる。【選択図】    図１
2004260902.tif 000002
【特許請求の範囲】
【請求項１】
周壁部と底壁部とを有するほぼカップ状の形状を有するように形成されて前記底壁部を貫通した複数の通気孔が前記底壁部の外周部に沿って並ぶように設けられている回転子ヨークと該回転子ヨークの周壁部の内周に取り付けられた永久磁石とを有する磁石回転子と、該磁石回転子の内側に配置された電機子とを備えた磁石発電機において、
前記回転子ヨークの底壁部の複数の通気孔の少なくとも一部に対して中空の冷却風導入部が設けられ、
前記冷却風導入部は、前記回転子ヨークの周壁部の開口方向と反対側に膨出した状態で対応する通気孔の少なくとも一部を前記回転子ヨークの外側から覆うように形成され、
前記冷却風導入部は、一端が対応する通気孔を通して前記回転子ヨークの内側に連通させられた冷却風導入通路をその内側に有するとともに、該冷却風導入通路の他端を前記磁石回転子の回転方向の前方側に開口させる開口端を有し、
前記回転子ヨークの外周側に位置する前記冷却風導入部の側壁部は、前記通気孔の近傍から前記回転子ヨークの外周部に向けて斜めに延びて前記開口端に至るように設けられ、
前記冷却風導入部の開口端は、前記回転子ヨークの底壁部の中心と対応する前記通気孔の中心とを結ぶ直線及び前記回転子ヨークの中心軸線の双方を含む基準平面と直交する方向に対して前記回転子ヨークの内径側に傾いた方向に向くように設けられ、
前記冷却風導入部の前記開口端側での前記冷却風導入通路の断面積が、前記基準平面に沿った前記冷却風導入通路の断面積よりも大きくなるように構成されていること、
を特徴とする磁石発電機。
【請求項２】
前記冷却風導入部の開口端は、その端面が前記基準平面に対して傾斜した平面に沿って延びるように設けられている請求項１に記載の磁石発電機。
【請求項３】
前記冷却風導入部の開口端は、その端面が前記基準平面に対して各部が傾きを持った曲面に沿って延びるように設けられている請求項１に記載の磁石発電機。
【請求項４】
前記冷却風導入部は、前記基準平面に沿った前記冷却風導入通路の断面形状及び前記冷却風導入部の開口端での前記冷却風導入通路の断面形状がほぼ矩形状を呈するように設けられている請求項１，２または３に記載の磁石発電機。
【請求項５】
前記冷却風導入部の開口端から前記回転子ヨークの外周部に沿って前記磁石回転子の回転方向の前方側に突出して延びる翼部が、前記回転子ヨークの外周側に位置する前記冷却風導入部の側壁部に連続させた状態で設けられている請求項１，２，３または４に記載の磁石発電機。
【請求項６】
前記回転子ヨークの底壁部の各通気孔に対応する貫通孔を有して前記回転子ヨークの底壁部にネジ止めされる環状の板が設けられて、該環状の板に設けられた貫通孔のうち、前記冷却風導入部を設ける通気孔に対応する貫通孔の少なくとも一部を覆うように前記環状の板に前記冷却風導入部が設けられ、各冷却風導入部は、前記環状の板の前記回転子ヨークと反対側の面から前記回転子ヨークと反対側に膨出した状態で対応する貫通孔の少なくとも一部を外側から覆うように形成されていて、各冷却風導入部の内側の冷却風導入通路が対応する貫通孔を通して前記回転子ヨークの底壁部の通気孔に連通させられている請求項１ないし５のいずれか１つに記載の磁石発電機。
【請求項７】
前記冷却風導入部は、前記回転子ヨークの底壁部に一体に形成れている請求項１ないし５のいずれか１つに記載の磁石発電機。
【請求項８】
前記冷却風導入部の開口端よりも前記磁石回転子の回転方向の前方側に配置されて、前記冷却風導入部の内側の冷却風導入通路内に流入する空気を整流する整流板が、前記回転子ヨークの底壁部に対して固定された状態で設けられている請求項１ないし７のいずれか１つに記載の磁石発電機。
【請求項９】
前記冷却風導入部よりも前記磁石回転子の回転方向の前方側に配置されて、前記冷却風導入部の内側の冷却風導入通路内に流入する空気を整流する整流板が前記環状の板に一体に設けられている請求項６に記載の磁石発電機。
【発明の詳細な説明】
【０００１】
【発明の属する技術分野】
本発明は、ほぼカップ状に形成された回転子ヨークの周壁部の内周に永久磁石を取り付けて構成した磁石回転子と、該磁石回転子の内側に配置された電機子とを備えた回転子外転形の磁石発電機に関するものである。
【０００２】
【従来の技術】
回転子外転形の磁石発電機は、図５（Ａ）及び（Ｂ）に示すように、周壁部１ａと底壁部１ｂとを有するほぼカップ状の形状を有するように形成された回転子ヨーク１と、回転子ヨーク１の周壁部１ａの内周に取り付けられた永久磁石２とを備えた磁石回転子３と、磁石回転子３の内側に配置された電機子４とを備えている。
【０００３】
回転子ヨーク１は、その底壁部１ｂの中央にボス部１ｃを有していて、このボス部が図示しない原動機（多くの場合内燃機関）の回転軸に取り付けられる。
【０００４】
また電機子４は、電機子鉄心５と、該電機子鉄心に巻装された電機子コイル６とからなっていて、原動機のケース等に固定され、電機子鉄心５の外周部に設けられた磁極部が磁石回転子３の磁石２に所定のギャップを介して対向させられる。
【０００５】
この種の発電機においては、電機子コイル６に負荷電流が流れたときに生じる損失により電機子コイルが発熱するため、発電機から大きな出力を取り出すためには、電機子コイルを効率よく冷却することができるようにしておく必要がある。
【０００６】
そこで、特許文献１において、図示のように、回転子ヨーク１の底壁部１ｂを貫通させて、底壁部１ｂの外周部に沿って並ぶ複数の通気孔１ｄ，１ｄ，…を形成するとともに、回転子ヨーク１の底壁部１ｂの外面にネジ７により固定した環状の板８に、各通気孔１ｄに対応する冷却風導入部９´を設け、各冷却風導入部９´の内側の冷却風導入通路１０´を通して各通気孔１ｄに冷却風を導入するようにした冷却構造が提案された。
【０００７】
図５（Ｃ）に示されているように、冷却風導入部９´は、底壁部１ｂと反対側に膨出した状態で対応する通気孔１ｄの少なくとも一部を覆うように形成され、冷却風導入部９´の内側に形成された冷却風導入通路１０´は、回転子ヨーク１の回転方向（図５Ａの矢印方向）の前方側に開口するように設けられている。
【０００８】
【特許文献１】
特公平６−９１７１８号公報
【０００９】
【発明が解決しようとする課題】
特許文献１に示された磁石発電機においては、図５（Ｃ）に示されているように、冷却風導入部９´が、その内側の冷却風導入通路１０´を回転子ヨークの外周部の接線方向に開口させた状態で設けられていたため、冷却風導入通路１０´の断面が半円形状を呈するように形成されていることと相俟って、冷却風導入通路１０´の開口部の断面積を大きくすることができなかった。そのため、通気孔１ｄを通して電機子４に吹き付けられる冷却風の量が制限され、このことが、電機子の冷却効果を高める上でネックになるという問題があった。
【００１０】
本発明の目的は、回転子ヨークの底壁部に設けた通気孔を通して電機子に吹き付けることができる冷却風の量を従来のものよりも増加させて、電機子の冷却効果を高めることができるようにした磁石発電機を提供することにある。
【００１１】
【課題を解決するための手段】
本発明は、周壁部と底壁部とを有するほぼカップ状の形状を有するように形成されて底壁部を貫通した複数の通気孔が底壁部の外周部に沿って並ぶように設けられている回転子ヨークと該回転子ヨークの周壁部の内周に取り付けられた永久磁石とを有する磁石回転子と、該磁石回転子の内側に配置された電機子とを備えた磁石発電機を対象とする。
【００１２】
本発明においては、回転子ヨークの底壁部の複数の通気孔の少なくとも一部に対して冷却風導入部が設けられる。各冷却風導入部は、回転子ヨークの周壁部の開口方向と反対側に膨出した状態で対応する通気孔の少なくとも一部を回転子ヨークの外側から覆うように形成されている。
【００１３】
上記冷却風導入部は、一端が対応する通気孔を通して回転子ヨークの内側に連通させられた冷却風導入通路をその内側に有するとともに、該冷却風導入通路の他端を磁石回転子の回転方向の前方側に開口させる開口端を有している。
【００１４】
また上記回転子ヨークの外周側に位置する冷却風導入部の側壁部は、通気孔の近傍から回転子ヨークの外周部に向けて斜めに延びて上記開口端に至るように設けられ、冷却風導入部の開口端は、回転子ヨークの底壁部の中心と対応する通気孔の中心とを結ぶ直線及び回転子ヨークの中心軸線の双方を含む基準平面と直交する方向に対して回転子ヨークの内径側に傾いた方向に向くように設けられている。
【００１５】
本発明においては、上記のように、回転子ヨークの外周側に位置する冷却風導入部の側壁部が、通気孔の近傍から回転子ヨークの外周部に向けて斜めに延びて冷却風導入部の開口端に至るように設けられていることと、冷却風導入部の開口端が、上記基準平面と直交する方向に対して傾いた方向に向くように設けられていることとにより、冷却風導入部の開口端側での冷却風導入通路の断面積が、基準平面に沿った冷却風導入通路の断面積よりも大きくなっている。
【００１６】
上記のように構成すると、  冷却風導入部の開口端を回転子ヨークの接線方向に開口させていた従来の磁石発電機に比べて、冷却風導入通路の開口面積を大きくすることができるため、回転子の回転に伴って冷却風導入部内に取り入れることができる冷却風の量を増加させて、従来のこの種の磁石発電機よりも、電機子の冷却効果を高めることができる。
【００１７】
上記冷却風導入部の開口端は、その端面が上記基準平面に対して傾斜した平面に沿って延びるように設けられていてもよく、その端面が、基準平面に対して各部が傾きを持った曲面に沿って延びるように設けられていてもよい。
【００１８】
本発明の好ましい態様では、前記基準平面に沿った冷却風導入通路の断面形状及び冷却風導入部の開口端での冷却風導入通路の断面形状がほぼ矩形状を呈するように冷却風導入部が設けられる。
【００１９】
このように構成した場合には、冷却風導入部の突出寸法を大きくすることなく、冷却風導入通路の断面形状を半円形状とした場合に比べて、冷却風導入通路の断面積を大きくすることができるため、冷却風導入通路を通して通気孔に取り込むことができる冷却風の量を増加させて、冷却効果を高めることができる。
【００２０】
本発明の好ましい態様では、冷却風導入部の開口端から回転子ヨークの外周部に沿って磁石回転子の回転方向の前方側に突出して延びる翼部が、回転子ヨークの外周側に位置する冷却風導入部の側壁部に連続させた状態で設けられている。このように冷却風導入部の開口端から回転方向の前方側に突出して延びる翼部を設けると、磁石回転子が回転したときに該翼部に沿って大量の空気を冷却風導入通路内に導入することができるため、冷却効果を更に高めることができる。
【００２１】
本発明の更に他の態様では、回転子ヨークの底壁部の各通気孔に対応する貫通孔を有して回転子ヨークの底壁部にネジ止めされる環状の板が設けられて、該環状の板に設けられた貫通孔のうち、冷却風導入部を設ける通気孔に対応する貫通孔の少なくとも一部を覆うように環状の板に冷却風導入部が設けられる。この場合、各冷却風導入部は、環状の板の回転子ヨークと反対側の面から回転子ヨークと反対側に膨出した状態で対応する貫通孔の少なくとも一部を外側から覆うように形成され、各冷却風導入部の内側の冷却風導入通路が対応する貫通孔を通して回転子ヨークの底壁部の通気孔に連通させられる。
【００２２】
このように、回転子ヨークと別体の環状の板に冷却風導入部を設けるようにすると、回転子ヨークの成形を複雑にすることなく、冷却風導入部を形成することができるため、冷却風導入部の形成を容易にすることができる。
【００２３】
本発明の更に他の好ましい態様では、上記冷却風導入部が、回転子ヨークの底壁部に一体に形成される。
【００２４】
このように冷却風導入部を回転子ヨークの底壁部に一体に設けた場合には、環状の板を省略することができるため、回転子の構造を簡単にすることができる。
【００２５】
本発明の更に他の好ましい態様では、冷却風導入部の開口端よりも磁石回転子の回転方向の前方側に配置されて、冷却風導入部の内側の冷却風導入通路内に流入する空気を整流する整流板が、回転子ヨークの底壁部に対して固定された状態で設けられる。
【００２６】
上記整流板は、回転子ヨークの底壁部に一体に設けてもよく、前記環状の板に設けてもよい。
【００２７】
上記のように整流板を設けると、冷却風導入通路に導入される空気の流れを整流として、冷却風導入通路の入り口付近に渦が生じるのを防ぐことができるため、冷却風導入通路内に導入される空気の量を増加させることができる。
【００２８】
【発明の実施の形態】
以下図面を参照して本発明の実施の形態を説明する。図１及び図２は本発明の第１の実施形態を示したもので、図１（Ａ）は同実施形態に係わる磁石発電機の正面図、図１（Ｂ）は同図（Ａ）のＩＢ−ＩＢ線断面図、同図（Ｃ）は冷却風導入部付近の断面図である。また図２（Ａ）は本実施形態において、冷却風導入部を設けるために回転子ヨークに取り付ける環状の板の正面図、同図（Ｂ）は同環状の板の背面図である。
【００２９】
図１及び図２において、１は、周壁部１ａと底壁部１ｂとを有するほぼカップ状の形状を有するように形成された回転子ヨークで、回転子ヨーク１と、この回転子ヨークの周壁部１ａの内周に取り付けられた永久磁石２とにより磁石回転子３が構成されている。回転子ヨーク１は、その底壁部１ｂの中央にボス部１ｃを有していて、このボス部が図示しない原動機（多くの場合内燃機関）の回転軸に取り付けられる。
【００３０】
また４は磁石回転子３の内側に配置された電機子で、この電機子は、電機子鉄心５と、該電機子鉄心に巻装された電機子コイル６とからなっている。電機子４は、磁石回転子３と軸線を共有した状態で配置されて、原動機のケース等に固定され、電機子鉄心５の外周部に設けられた磁極部が磁石回転子３の磁石２に所定のギャップを介して対向させられる。
【００３１】
磁石回転子３の内側に電機子４を冷却するための冷却風を導入するため、回転子ヨーク１の底壁部１ｂを貫通させて、底壁部１ｂの外周部に沿って並ぶ複数（図示の例では６個）の円形の通気孔１ｄ，１ｄ，…が等角度間隔で（６０度間隔で）形成されている。また図示の例では、これら６個の通気孔の外に、通気孔１ｄよりも小径の３個の補助通気孔１ｄ´が１２０度間隔で設けられている。
【００３２】
回転子ヨーク１の底壁部１ｂの各通気孔１ｄに対応する貫通孔８ａ及び通気孔１ｄ´に対応する貫通孔８ａ´を有する環状の板８が設けられ、この環状の板８に冷却風導入部９，９，…が設けられている。
【００３３】
環状の板８は、各貫通孔８ａを対応する通気孔１ｄに連通させ、各貫通孔８ａ´を対応する通気孔１ｄ´に連通させた状態で回転子ヨーク１の底壁部１ｂの外面に配置されて、複数のネジ７により回転子ヨーク１の底壁部１ｂに締結されている。
【００３４】
各冷却風導入部９は、環状の板８の回転子ヨーク１と反対側の面から回転子ヨーク１と反対側に膨出した状態で対応する貫通孔８ａの大部分を外側から覆うように形成されている。各冷却風導入部９の内側には、図１（Ｂ）及び（Ｃ）に示されているように、冷却風導入通路１０が形成され、この冷却風導入孔の一端は、対応する貫通孔８ａを通して回転子ヨーク１の底壁部の対応する通気孔１ｄに連通させられている。
【００３５】
各冷却風導入部９は、その内側の冷却風導入通路１０の他端を磁石回転子の回転方向の前方側に開口させる開口端９ａを有している。本発明においては、この開口端９ａが、回転子ヨーク１の底壁部１ｂの中心Ｏ１と通気孔１ｄの中心Ｏ２とを結ぶ直線及び回転子ヨーク１の中心軸線の双方を含む平面（図１Ｃに示した平面Ｏ３−Ｏ３で、本明細書ではこの平面を基準平面と呼んでいる。）と直交する方向（基準平面と回転子ヨーク１の外周とが交わる位置での回転子ヨークの接線方向）に対して回転子ヨーク１の内径側に傾いた方向に向くように設けられている。図示の例では、冷却風導入部９の開口端９ａの端面が、上記基準平面Ｏ３−Ｏ３に対して傾斜した平面に沿って直線的に延びるように設けられている。
【００３６】
また本発明では、回転子ヨークの外周側に位置する冷却風導入部９の側壁部９ｂが、通気孔１ｄの近傍から回転子ヨーク１の外周部に向けて斜めに延びて開口端９ａに至るように設けられている。
【００３７】
本発明においては、このように、回転子ヨークの外周側に位置する冷却風導入部の側壁部が、通気孔の近傍から回転子ヨークの外周部に向けて斜めに延びて冷却風導入部の開口端に至るように設けられるとともに、冷却風導入部の開口端が、上記基準平面と直交する方向に対して回転子ヨークの内径側に傾いた方向に向くように設けられているため、冷却風導入部の開口端側での冷却風導入通路の断面積が、基準平面に沿った冷却風導入通路の断面積よりも大きくなっている。従って、冷却風導入部９の開口端の断面積を図５に示した従来の磁石発電機よりも大きくすることができ、該開口端から冷却府風導入通路内に導入する空気の量を増加させることができる。
【００３８】
本発明においてはまた、上記基準平面Ｏ３−Ｏ３に沿った冷却風導入通路１０の断面（図１Ｂに示された断面）の形状、及び開口端９ａでの冷却風導入通路１０の断面形状が共にほぼ矩形状を呈するように冷却風導入部９が設けられる。
【００３９】
このように、冷却風導入通路の断面形状を矩形状とすると、冷却風導入通路の断面形状を半円形状としていた従来のものに比べて冷却風導入通路の断面積を大きくすることができる。
【００４０】
更に本発明においては、冷却風導入部９の開口端９ａから回転子ヨーク１の外周部に沿って磁石回転子の回転方向の前方側に突出して延びる板状の翼部９ｃが、回転子ヨーク１の外周側に位置する冷却風導入部９の側壁部９ｂに連続させた状態で設けられていて、回転子３を正面から見たときの各冷却風導入部９の輪郭形状がほぼ勾玉状を呈するように、各冷却風導入部が形成されている。
【００４１】
図２（Ｂ）に示したように、環状の板８に設けられた各貫通孔８ａは、冷却風導入部９の輪郭形状と同様に勾玉状を呈するように形成され、冷却風導入通路の開口部側に位置する貫通孔８ａの内周縁の一部に、回転子ヨークの対応する通気孔１ｄの一部に整合する円弧状部分８ａ１が形成されている。また冷却風導入部９は、図２（Ａ）に示したように、各貫通孔８ａの円弧状部８ａ１を覆わないように設けられており、環状の板８を回転子ヨーク１の底壁部１ｂに締結したときに、貫通孔８ａの円弧状部８ａ１に整合する通気孔１ｄの一部が冷却風導入部９により覆われることなく露呈されるようになっている。
【００４２】
また図示の例では、回転子ヨークの補助通気孔１ｄ´に整合する貫通孔８ａ´と、ボルト７を貫通させるための孔８ｂとが環状の板８に設けられ、回転子ヨークの底壁部の各補助通気孔１ｄ´と環状の板８の貫通孔８ａ´とを通して回転子ヨークの内外が連通させられている。
【００４３】
なお図１において１ｅは、回転子ヨークを回転軸から抜き取るための工具を取り付けるために、回転子ヨーク１の底壁部１ｂに設けられたネジ孔である。
【００４４】
上記のように、冷却風導入部の開口端から回転子の回転方向の前方側に延びる翼部９ｃを冷却風導入部の開口端から回転方向の前方側に突出させた状態で設けると、回転子ヨーク１が回転したときに該翼部９ｃに沿って大量の空気を冷却風導入通路１０内に導入することができ、このことと、前述のように冷却風導入通路１０の断面積が大きくなることとの相乗効果により、回転子ヨーク１内に導入される空気の量を増大させて、電機子の冷却効果を高めることができる。
【００４５】
上記の実施形態のように、冷却風導入部９の開口端９ａから回転方向の前方に突出する翼部９ｃが設けるのが好ましいが、翼部９ｃは必ずしも設けなくてもよく、図３（Ａ）ないし（Ｃ）に示した第２の実施形態のように、翼部９ｃを省略することもできる。本発明においては、前述のように、冷却風導入部９の側壁部９ｂを傾斜させ、開口端９ａを傾けることにより、冷却風導入部の開口端９ａでの冷却風導入通路の断面積を増大させて大量の冷却風を取り入れることができるようにしたため、翼部９ｃを特に設けなくても、従来の磁石発電機よりも電機子の冷却効果を高めることができる。
【００４６】
図４（Ａ）ないし（Ｃ）は本発明の第３の実施形態を示したもので、この実施形態では、冷却風導入部９よりも回転子ヨーク１の回転方向の前方側に配置されて、冷却風導入部９の内側の冷却風導入通路１０内に流入する空気を整流する整流板１１が、回転子ヨーク１の底壁部１ｂに固定された環状の板８に一体に設けられている。冷却風導入部９は、図３に示した実施形態と同様に翼部を有しない形状に形成されている。
【００４７】
図３に示した実施形態のように、整流板１１を設けると、冷却風導入通路１０に導入される空気の流れを整流として、冷却風導入通路１０の入り口付近に渦が生じるのを抑制することができるため、冷却風導入通路内に導入される空気の量を増加させることができる。
【００４８】
上記の各実施形態では、冷却風導入部９を回転子ヨーク１に締結した環状の板８に設けたが、冷却風導入部９を回転子ヨーク１の底壁部１ｂに一体に設けるようにしても良い。
【００４９】
また図４（Ａ）ないし（Ｃ）に示した実施形態では、整流板１１を環状の板８に設けたが、冷却風導入部９を回転子ヨーク１の底壁部１ｂに一体に設ける場合には、整流板１１も回転子ヨーク１の底壁部１ｂに一体に設ける。
【００５０】
上記の実施形態では、回転子ヨークの底壁部に設ける通気孔１ｄの一部を覆わないように各冷却風導入部９を設けたが、回転子ヨークの底壁部に設ける通気孔１ｄの全体を覆うように各冷却風導入部９を設けるようにしてもよい。
【００５１】
【発明の効果】
以上のように、本発明によれば、回転子ヨークの外周側に位置する冷却風導入部の側壁部を、通気孔の近傍から回転子ヨークの外周部に向けて斜めに延びて冷却風導入部の開口端に至るように設けるとともに、冷却風導入部の開口端を、回転子ヨークの内径側に傾いた方向に向けて設けたので、冷却風導入通路を回転子ヨークの接線方向に開口させていた従来の磁石発電機よりも冷却風導入通路の開口部の断面積を大きくすることができる。従って、磁石回転子の回転に伴って、大量の空気を冷却風導入通路内に取り込んで、電機子に吹き付けられる冷却風の量を従来のものよりも増加させることができ、電機子の冷却効果を高めることができる。
【００５２】
また本発明において、基準平面に沿った冷却風導入通路の断面形状及び冷却風導入部の開口端での冷却風導入通路の断面形状をほぼ矩形状を呈するように冷却風導入部を設けた場合には、冷却風導入通路の断面形状を半円形状とした場合に比べて、冷却風導入通路の断面積を大きくすることができるため、冷却風導入通路を通して通気孔に取り込むことができる冷却風の量を更に増加させて、冷却効果をいっそう高めることができる。
【００５３】
更に本発明において、冷却風導入部の開口端から回転子ヨークの外周部に沿って磁石回転子の回転方向の前方側に突出して延びる翼部を、回転子ヨークの外周側に位置する冷却風導入部の側壁部に連続させた状態で設けた場合には、磁石回転子が回転したときに該翼部に沿って大量の空気を冷却風導入通路内に導入することができるため、冷却効果を更に高めることができる。
【００５４】
また本発明において、冷却風導入部の開口端よりも磁石回転子の回転方向の前方側に、冷却風導入通路内に流入する空気を整流する整流板を設けた場合には、冷却風導入通路に導入される空気の流れを整流として、冷却風導入通路の入り口付近に渦が生じるのを防ぐことができるため、冷却風導入通路内に導入される空気の量を更に増加させて、電機子の冷却効果を高めることができる。
【図面の簡単な説明】
【図１】（Ａ）は本発明の第１の実施形態に係わる磁石発電機の正面図、（Ｂ）は（Ａ）のＩＢ−ＩＢ線断面図、（Ｃ）は同磁石発電機に設ける冷却風導入部付近の断面図である。
【図２】（Ａ）は図１の実施形態において、冷却風導入部を設けるために回転子ヨークに取り付ける環状の板の正面図、（Ｂ）は同環状の板の背面図である。
【図３】（Ａ）は本発明の第２の実施形態に係わる磁石発電機の正面図、（Ｂ）は（Ａ）のＩＩＩＢ−ＩＩＩＢ線断面図、（Ｃ）は同磁石発電機に設ける整流板の断面図である。
【図４】（Ａ）は本発明の第３の実施形態に係わる磁石発電機の正面図、（Ｂ）は（Ａ）のＩＶＢ−ＩＶＢ線断面図、（Ｃ）は同磁石発電機に設ける整流板の断面図である。
【図５】（Ａ）は従来の磁石発電機の正面図、（Ｂ）は（Ａ）のＶＢ−ＶＢ線断面図、（Ｃ）は同磁石発電機の冷却風導入部付近の断面図である。
【符号の説明】
１…回転子ヨーク、１ａ…周壁部、１ｂ…底壁部、１ｄ…通気孔、２…永久磁石、３…磁石回転子、４…電機子、５…電機子鉄心、６…電機子コイル、８…環状の板、８ａ…貫通孔、９…冷却風導入部、９ａ…開口端、９ｂ…側壁部、９ｃ…翼部。
【図１】
2004260902.tif 000003
【図２】
2004260902.tif 000004
【図３】
2004260902.tif 000005
【図４】
2004260902.tif 000006
【図５】
2004260902.tif 000007